(57)【要約】無線アクセスネットワーク（１１）が、無線基地局のサービス圏内の複数のユーザ装置ユニットへのマルチメディア・ブロードキャスト／マルチキャスト・サービス（ＭＢＭＳ）の送信を円滑化する。無線ネットワーク制御装置ノード（２６）が、共通トランスポートチャネル設定手順の第１のメッセージ（７０）の中に、マルチメディア・ブロードキャスト／マルチキャスト・サービスのセッションに関わる共通トランスポート・ベアラ（６０）の共有が許可されるという表示を含める。無線基地局（２８）が、無線基地局（２８）のサービス圏内の複数のセル（Ｃ）に位置するユーザ装置ユニット（３０）間で共通トランスポート・ベアラ（６０）を共有するかどうかの判定を行う。判定が肯定である場合、無線基地局（２８）は、共通トランスポートチャネル設定手順の第２のメッセージ（８０）の中に、共有の共通トランスポート・ベアラとして用いられることになる確立済みのチャネルのＩＤを含める。次いで無線ネットワーク制御装置（２６）は、無線基地局のサービス圏内の複数のセルの中にあるユーザ装置ユニット（３０）へマルチメディア・ブロードキャスト／マルチキャスト・サービスのユーザデータを送信するため、共有の共通トランスポート・ベアラとして確立済みのチャネルを用いる。
2010508697.tif 000002
【特許請求の範囲】
【請求項１】
無線基地局（２８）のサービス圏内の複数のユーザ装置ユニットへのマルチメディア・ブロードキャスト／マルチキャスト・サービスの送信を円滑化するために無線アクセスネットワーク（１１）を動作させる方法であって、
（１）無線ネットワーク制御装置ノード（２６）から前記無線基地局（２８）への共通トランスポートチャネル設定手順の第１のメッセージ（７０）の中に、マルチメディア・ブロードキャスト／マルチキャスト・サービスのセッションに関わる共通トランスポート・ベアラ（６０）の共有が許可されているという表示のための第１のメッセージ（７０）の情報要素を含める工程と、
（２）前記無線基地局（２８）のサービス圏内の複数のセル（Ｃ）の中にあるユーザ装置ユニット間で共通トランスポート・ベアラ（６０）を共有するかどうかを、前記無線基地局（２８）において判定する工程と、
工程（２）の判定が肯定である場合、
（３）前記無線基地局（２８）から前記無線ネットワーク制御装置へ送信される共通トランスポートチャネル設定手順の第２のメッセージの中に、共有の共通トランスポート・ベアラ（６０）として用いられることになる確立済みのチャネルのＩＤを含める工程と
を有することを特徴とする方法。
【請求項２】
前記無線基地局（２８）のサービス圏内の複数のセル（Ｃ）の中にあるユーザ装置ユニットへマルチメディア・ブロードキャスト／マルチキャスト・サービスのユーザデータを送信するために、前記共有の共通トランスポート・ベアラ（６０）として確立済みの前記チャネルを用いる前記無線ネットワーク制御装置をさらに備えることを特徴とする請求項１に記載の方法。
【請求項３】
前記工程（１）が、共通トランスポートチャネル設定手順の前記第１のメッセージ（７０）の中に、前記共通トランスポートベアラ（６０）の共有が許可されていることを示す情報要素（７２）を含める工程を含み、かつ、
前記工程（３）が、共通トランスポートチャネル設定手順の前記第２のメッセージ（８０）の情報要素（８２）の中に、前記共有の共通トランスポート・ベアラ（６０）として用いられることになる前記確立済みのチャネルの前記ＩＤを含める工程を含むことを特徴とする請求項１に記載の方法。
【請求項４】
前記確立済みのチャネルの前記ＩＤは、セルＩＤおよび前記確立済みのチャネルの共通トランスポートチャネルＩＤを含むことを特徴とする請求項１に記載の方法。
【請求項５】
前記工程（２）の判定が、前記マルチメディア・ブロードキャスト／マルチキャスト・サービスの前記セッションのための確立済みのトランスポートベアラがすでに存在するかどうか判定する工程を含むことを特徴とする請求項１に記載の方法。
【請求項６】
前記工程（２）の前記判定が、前記無線基地局（２８）の内部のハードウェア構造またはソフトウェア構造またはその両方に基づくことを特徴とする請求項１に記載の方法。
【請求項７】
無線ネットワーク制御装置ノード（２６）から無線基地局（２８）への共通トランスポートチャネル設定手順の第１のメッセージ（７０）の中に、マルチメディア・ブロードキャスト／マルチキャスト・サービスのセッションに関わる共通トランスポート・ベアラ（６０）の共有が許可されているということを表示し、前記第１のメッセージ（７０）に対する所定の応答を受信したときに、前記無線基地局（２８）のサービス圏内の複数のセル（Ｃ）の中にあるユーザ装置ユニットへマルチメディア・ブロードキャスト／マルチキャスト・サービスのユーザデータを送信するために前記共有の共通トランスポートベアラ（６０）として確立済みの前記チャネルを用いるように構成されることを特徴とする無線アクセスネットワーク（１１）の制御ノード。
【請求項８】
前記第１のメッセージ（７０）への前記所定の応答が、前記確立済みのチャネルのＩＤであり、かつ、前記確立済みのチャネルの前記ＩＤが、セルＩＤおよび前記確立済みのチャネルの共通トランスポートチャネルＩＤを含むことを特徴とする請求項７に記載の制御ノード。
【請求項９】
マルチメディア・ブロードキャスト／マルチキャスト・サービスで利用される共通トランスポートベアラ（６０）が、前記無線基地局（２８）のサービス圏内の複数のセル（Ｃ）の中にあるユーザ装置ユニット間で共有できるかどうかを判定し、前記判定が肯定である場合、前記無線基地局（２８）から前記無線ネットワーク制御装置へ送信される共通トランスポートチャネル設定手順のメッセージの中に、前記共有の共通トランスポート・ベアラ（６０）として用いられることになる確立済みのチャネルのＩＤを表示するように構成されることを特徴とする無線アクセスネットワーク（１１）の無線基地局（２８）。
【請求項１０】
前記確立済みのチャネルの前記ＩＤは、セルＩＤおよび前記確立済みのチャネルの共通トランスポートチャネルＩＤを含むことを特徴とする請求項９に記載の無線基地局。
【請求項１１】
前記無線基地局（２８）が、
（ｉ）前記マルチメディア・ブロードキャスト／マルチキャスト・サービスの前記セッションのための確立されたトランスポート・ベアラがすでに存在するかどうかを判定し、
（ｉｉ）前記無線基地局（２８）の内部ハードウェア構造またはソフトウェア構造またはその両方に基づいて前記確立済みのトランスポート・ベアラを共有するかどうかを判定する
ように構成されることを特徴とする請求項９に記載の無線基地局。
【請求項１２】
前記無線基地局（２８）が、共通トランスポートチャネル設定手順の前記メッセージの情報要素（８２）の中に、前記共有の共通トランスポート・ベアラ（６０）として用いられることになる確立済みのチャネルの前記ＩＤを含めるように構成されることを特徴とする請求項９に記載の無線基地局。
【請求項１３】
マルチメディア・ブロードキャスト／マルチキャスト・サービスに関連して利用される無線アクセスネットワーク（１１）であって、
無線基地局（２８）と、
無線ネットワーク制御装置ノード（２６）とを備え、
前記無線ネットワーク制御装置ノード（２６）が、前記無線ネットワーク制御装置ノード（２６）から前記無線基地局（２８）への共通トランスポートチャネル設定手順の第１のメッセージ（７０）の中に、前記マルチメディア・ブロードキャスト／マルチキャスト・サービスのセッションに関わる共通トランスポート・ベアラ（６０）の共有が許可されていることを表示するように構成され、
前記無線基地局（２８）が、前記無線基地局（２８）のサービス圏内の複数のセル（Ｃ）の中にあるユーザ装置ユニット間で前記共通トランスポート・ベアラ（６０）を共有するかどうかを判定し、前記判定が肯定である場合、前記無線基地局（２８）から前記無線ネットワーク制御装置へ送信される前記共通トランスポートチャネル設定手順の第２のメッセージ（８０）の中に、前記共有の共通トランスポート・ベアラ（６０）として用いられることになる確立済みのチャネルのＩＤを含めるように構成されることを特徴とするネットワーク。
【請求項１４】
前記無線ネットワーク制御装置がさらに、マルチメディア・ブロードキャスト／マルチキャスト・サービスのユーザデータを、前記無線基地局（２８）のサービス圏内の複数のセル（Ｃ）の中にあるユーザ装置ユニットへ送信するための前記共有の共通トランスポート・ベアラ（６０）として前記確立済みのチャネルを用いるように構成されることを特徴とする請求項１３に記載のネットワーク。
【請求項１５】
前記確立済みのチャネルの前記ＩＤは、セルＩＤおよび前記確立済みのチャネルの共通トランスポートチャネルＩＤを含むことを特徴とする請求項１３に記載のネットワーク。
【請求項１６】
前記無線基地局（２８）が、
（ｉ）前記マルチメディア・ブロードキャスト／マルチキャスト・サービスの前記セッションのための確立されたトランスポート・ベアラがすでに存在するかどうかを判定し、
（ｉｉ）前記無線基地局（２８）の内部ハードウェア構造またはソフトウェア構造またはその両方に基づいて前記確立済みのトランスポート・ベアラを共有するかどうかを判定する
ように構成されることを特徴とする請求項１３に記載のネットワーク。
【請求項１７】
前記無線基地局（２８）が、共通トランスポートチャネル設定手順の前記第２のメッセージ（８０）の情報要素（８２）の中に、前記共有の共通トランスポート・ベアラ（６０）として用いられることになる前記確立済みのチャネルの前記ＩＤを含めるように構成されることを特徴とする請求項１３に記載のネットワーク。
【発明の詳細な説明】
【技術分野】
【０００１】
本発明は電気通信に関し、詳細にはマルチメディア・ブロードキャスト／マルチキャスト（ＭＢＭ）セッションにおけるユーザデータのトランスポートに関する。
【背景技術】
【０００２】
マルチメディア・ブロードキャスト／マルチキャスト・サービス（ＭＢＭＳ）は、単一の送信元エンティティから複数の受信者へデータが送信されるポイント・ツー・マルチポイントサービスである。同じデータを複数の受信者へ送信することによって、ネットワークリソースの共有が可能になる。
【０００３】
マルチメディア・ブロードキャスト／マルチキャスト・サービス（ＭＢＭＳ）は、下記の文献のうち１つ以上に記載されている。
【０００４】
【非特許文献１】3GPP TS 25.433 V7.1.0(2006-06)、3rd Generation Partnership Project、Technical Specification Group Radio Access Network、UTRAN Iub interface Node B Application Part (NBAP) signaling、(Release ７)[以降、「3GPP TS 25.433V7.1.0」と呼ぶ]
【非特許文献２】3GPP TS 25.346 V7.2.0(2006-09)、3rd Generation Partnership Project、Technical Specification Group Radio Access Network、Introduction of the Multimedia Broadcast Multicast Service(MBMS)in the Radio Access Network(RAN)、Stage 2、(Release 7)
【非特許文献３】3GPP TS 22.146:「Multimedia Broadcast/Multicast Service: Stage 1」
【非特許文献４】3GPP TS 22.246:「MBMS User Services: Stage 1」
【非特許文献５】3GPP TS 23.246:「Multimedia Broadcast Multicast Service; Architecture and Functional Description」
【非特許文献６】3GPP TR 25.992:「Multimedia Broadcast Multicast Service(MBMS); UTRAN/GERAN Requirements」
【非特許文献７】3GPP TS 33.246:「3G Security; Security of Multimedia Broadcast/Multicast Service(MBMS)」
【０００５】
図１は、マルチメディア・ブロードキャスト／マルチキャスト・サービス（ＭＢＭＳ）を円滑化する例示する通信システム１１０を示す。通信システム１１０は、無線アクセスネットワーク（ＲＡＮ）１１１を含む。ＭＢＭＳサービス・コンテクスト（ＢＭ−ＳＣ）１１２は、無線アクセスネットワーク（ＲＡＮ）１１１が無線アクセスネットワーク（ＲＡＮ）１１１の中のＭＢＭＳサービスを制御するのに必要な情報を有する。ＭＢＭＳサービス・コンテクスト（ＢＭ−ＳＣ）１１２は、コアネットワーク（ＣＮ）１１４を通して無線アクセスネットワーク（ＲＡＮ）１１１に接続している。コアネットワーク１１４は、ゲートウェイＧＰＲＳサポートノード（ＧＧＳＮ）を備えてもよいし、実装によっては、（ＳＧＳＮノードがＧＧＳＮノードと無線アクセスネットワーク（ＲＡＮ）１１１の間に接続する状態で）ＳＧＳＮノードを備えてもよい。あるいは、１つのトンネル形式の実装の場合は、ユーザプレーンはＳＧＳＮを介して動作しないが、制御プレーンは常にそのように動作するというのでもよいだろう。
【０００６】
無線アクセスネットワーク（ＲＡＮ）１１１は、ユニバーサルモバイルテレコミュニケーション（ＵＭＴＳ）地上無線アクセス網（ＵＴＲＡＮ）であってもよいが、無線ネットワーク制御装置（ＲＮＣ）ノード１２６と、ノードＢもしくはＢノード（図２参照）とも呼ばれる少なくとも１つの無線基地局ノード１２８とを備えている。ノードＢは、１つ以上のセル、すなわち図１および図２に示すセルＣ１からＣ３までのセルにサービス提供することができる。移動局もしくは移動端末とも呼ばれるユーザ装置ユニット（ＵＥ）３０は、それぞれのセルを用いて無線インタフェース上でノードＢ１２８と通信する。
【０００７】
マルチメディア・ブロードキャスト／マルチキャスト・サービス（ＭＢＭＳ）は、複数のタイプのベアラを利用する。ＭＢＭＳ  Ｉｕデータベアラは、ＭＢＭＳデータをトランスポートするためにコアネットワーク１１４（例えばＳＧＳＮノードもしくはＧＧＳＮノード）と無線ネットワーク制御装置（ＲＮＣ）ノード１２６との間に確立されたデータベアラである。ＭＢＭＳ無線ベアラは、ＭＢＭＳデータをトランスポートするために無線ネットワーク制御装置（ＲＮＣ）ノード１２６とユーザ装置ユニット１３０との間に確立されたデータベアラである。ＭＢＭＳ  ＲＡＢという場合、ＭＢＭＳ  ＩｕデータベアラとＭＢＭＳ無線ベアラの両方をいう。
【０００８】
マルチメディア・ブロードキャスト／マルチキャスト・サービス（ＭＢＭＳ）セッションは、複数のチャネルを有しており、その中には、ＭＣＣＨ（ＭＢＭＳポイント・ツー・マルチポイント制御チャネル）、ＭＩＣＨ（ＭＢＭＳ通知インジケータチャネル）、ＭＳＣＨ（ＭＢＭＳポイント・ツー・マルチポイントスケジューリングチャネル）、およびＭＴＣＨ（ＭＢＭＳポイント・ツー・マルチポイントトラヒックチャネル）が含まれる。図１は、無線ネットワーク制御装置（ＲＮＣ）ノード１２６と図示された各セルとの間のＭＴＣＨ１３４を示す。図２は、ＭＴＣＨ１３４が、ノードＢ１２８とノードＢ１２８のサービス圏内の各セルとの間に存在することを示す。
【０００９】
図２は、Ｉｕｂインタフェース上、すなわち、無線ネットワーク制御装置（ＲＮＣ）ノード１２６とノードＢ１２８との間のインタフェース上に存在するＩｕｂベアラ１３６を示す。Ｉｕｂインタフェース上では、ＦＡＣＨトランスポートチャネルメカニズムが、Ｉｕｂベアラ１３６のために用いられる。
【００１０】
マルチメディア・ブロードキャスト／マルチキャスト・サービス（ＭＢＭＳ）のセッションは、コアネットワークノードから無線ネットワーク制御装置（ＲＮＣ）ノード１２６へ送信されるＭＢＭＳセッション開始要求メッセージによって開始される。ＭＢＭＳセッション開始要求メッセージは、例えばＭＢＭＳサービスＩＤ、ＭＢＭＳベアラ・サービス・タイプ、ＭＢＭＳセッション属性のような情報を含む。ＭＢＭＳセッション開始要求メッセージは、ユーザ装置ユニット１３０（すなわち、ＭＢＭＳサービスを起動したユーザ装置ユニット）にＭＢＭＳセッション開始を通知するため、無線ネットワーク制御装置（ＲＮＣ）ノード１２６を起動させる。ＭＢＭＳセッション開始要求メッセージは、ＭＢＭＳ  ＲＡＢをセットアップするのに必要な情報を含む。
【００１１】
ＭＢＭＳセッション開始要求を受信した時点で、無線ネットワーク制御装置（ＲＮＣ）ノード１２６は、ＮＢＡＰ（ノードＢアプリケーション部）プロトコルの実行を含めて、多数の動作を行う。ＮＢＡＰ（ノードＢアプリケーション部）プロトコルは、他にも機能はあるが特に、共通トランスポートチャネル管理機能を提供する。この機能は、ノードＢにおける共通トランスポートチャネルの構成を管理する可能性をＣＲＮＣ（例えば、図示したシナリオの中の無線ネットワーク制御装置（ＲＮＣ）ノード１２６）に与える。共通トランスポートチャネル管理によって制御される基本手順には、共通トランスポートチャネル設定手順、共通トランスポートチャネル再構成手順、および共通トランスポートチャネル削除手順が含まれる。
【００１２】
共通トランスポートチャネル設定手順については、例えば３ＧＰＰ  ＴＳ  ２５．４３３  Ｖ７．１．０セクション８．２．１に記載されている。共通トランスポートチャネル設定手順は、Ｓｅｃｏｎｄａｒｙ  ＣＣＰＣＨ、ＰＩＣＨ、ＰＲＡＣＨ、ＡＩＣＨ［ＦＤＤ］、ＦＡＣＨ、ＰＣＨ、ＲＡＣＨおよびＦＰＡＣＨ［１．２８Ｍｃｐｓ  ＴＤＤ］に関して、ノードＢにおいて必要なリソースを確立するのに用いられる。共通トランスポートチャネル設定手順に含まれるメッセージには、共通トランスポートチャネル設定要求メッセージ、共通トランスポートチャネル設定応答メッセージ、共通トランスポートチャネル設定失敗メッセージなどがある。共通トランスポートチャネル設定手順は、ノードＢ制御ポートを用いてＣＲＮＣからノードＢへ送信される共通トランスポートチャネル設定要求メッセージを使って開始される。
【００１３】
共通トランスポートチャネル設定要求メッセージについては、３ＧＰＰ  ＴＳ  ２５．４３３  Ｖ７．１．０（２００６−０６）のセクション９．１．３の中に記載されている。共通トランスポートチャネル設定要求メッセージがＦＡＣＨパラメータＩＥ（情報要素）を有する場合、ノードＢは、共通トランスポートチャネル設定要求メッセージに従って、示されたＦＡＣＨ（ｓ）を構成して起動しなければならない。共通トランスポートチャネル設定要求メッセージが、トランスポート層アドレスＩＥおよび結合ＩＤＩＥを有する場合、ノードＢは、示された共通トランスポートチャネルのためのトランスポート・ベアラを確立する際、ＣＲＮＣから受信したトランスポート層アドレスおよび結合識別子を用いてもよい。  要求された共通トランスポートチャネルおよび共通物理チャネルの構成が成功した後、ノードＢは、構成生成ＩＤＩＥの値を記憶し、そして、構成された共通トランスポートチャネルに関する共通トランスポートチャネルＩＤＩＥ、結合ＩＤＩＥおよびトランスポート層アドレスＩＥを備えた共通トランスポートチャネル設定要求メッセージで応答しなければならない。
【００１４】
異なるセルの中でＭＴＣＨを確立するには、別個の共通トランスポートチャネル設定手順が必要である。言い換えると、同一のノードＢのサービス圏内の３つのセルＣ1乃至Ｃ3の中でＭＴＣＨを確立すべき場合には、３つの別個の共通トランスポートチャネル設定要求メッセージが、各セルについて１つずつ、無線ネットワーク制御装置ノードによって開始される。従って、図２は、無線ネットワーク制御装置（ＲＮＣ）ノード１２６とノードＢ１２８との間に３つの共通トランスポートチャネル１３６1、１３６2、１３６3が存在することを示す。これらの共通トランスポートチャネル１３６は、ＭＢＭＳ  Ｉｕｂベアラとも呼ばれ、従来のやり方では、本質的に３つのＭＴＣＨに対応する。
【００１５】
このように、現在、ノードＢ１２８のサービス圏内の各セルＣについて１つずつ共通トランスポートチャネルが存在する。言い換えると、共通トランスポートチャネル１３６1はセルＣ1に関連し、共通トランスポートチャネル１３６2はセルＣ2に関連し、共通トランスポートチャネル１３６3はセルＣ3に関連する。従って、図２に示すように現在、無線ネットワーク制御装置（ＲＮＣ）ノード１２６が、同一のノードＢによって制御される異なるセルの各々について（同一のＭＢＭＳユーザデータセッションを搬送するのに用いられる）専用Ｉｕｂベアラ１３６を含む専用Ｉｕｂトランスポートリソースを確立することが必要である。
【００１６】
従って、今必要なのは、そして本発明の目的は、複数のセルにサービス提供するノードＢにＭＢＭＳユーザデータのトランスポートを効率よく提供するための方法、技術、装置のうちの１つ以上である。
【発明の概要】
【課題を解決するための手段】
【００１７】
本技術の一態様は、１つの無線基地局のサービス圏内の複数のユーザ装置ユニットに対するマルチメディア・ブロードキャスト／マルチキャスト・サービスの送信を円滑化するように無線アクセスネットワークを動作させる方法に関する。この方法は、無線ネットワーク制御装置ノードから無線基地局への共通トランスポートチャネル設定手順の第１のメッセージの中に、マルチメディア・ブロードキャスト／マルチキャスト・サービスのセッションに関わる共通トランスポート・ベアラの共有が許可されているという表示を含める工程を備える。この方法はさらに、無線基地局のサービス圏内の複数のセルの中にあるユーザ装置ユニット間で共通トランスポート・ベアラを共有するかどうかを（無線基地局において）判定する工程を備える。判定が肯定である場合、無線基地局は、無線基地局から無線ネットワーク制御装置へ送信される共通トランスポートチャネル設定手順の第２のメッセージの中に、共有の共通トランスポート・ベアラとして用いられることになる確立済みのチャネルのＩＤを含める。次いで無線ネットワーク制御装置は、マルチメディア・ブロードキャスト／マルチキャスト・サービスのユーザデータを無線基地局のサービス圏内の複数のセルの中にあるユーザ装置ユニットに送信するため、確立済みのチャネルを共有の共通トランスポート・ベアラとして用いる。
【００１８】
例示する一実施形態では、無線基地局は、（ａ）マルチメディア・ブロードキャスト／マルチキャスト・サービスのセッションのために確立済みのＦＡＣＨチャネルがすでに存在するかどうかを判定し、そして、（ｂ）確立済みのチャネルを共有するかどうかを無線基地局の内部ハードウェアまたはソフトウェアまたはその両方の構造に基づいて判定することによって判定を行う。
【００１９】
例示する一実装では、無線基地局によって無線ネットワーク制御装置へ返信された確立済みのチャネルのＩＤは、（ａ）セルＩＤ（例えば、３ＧＰＰ  ＴＳ  ２５．４３３に記載された情報要素および確立済みのチャネルの共通トランスポートチャネルＩＤ、または、（ｂ）確立済みのチャネルについてのトランスポート層アドレスおよび結合情報、のうちいずれか一方を含む。
【００２０】
例示する一実装では、共通トランスポート・ベアラの共有が許可されていることを示すため、無線ネットワーク制御装置（ＲＮＣ）は、共通トランスポートチャネル設定手順の第１のメッセージの中に情報要素を含める。さらに、無線基地局は、共通トランスポートチャネル設定手順の第２のメッセージの情報要素の中に、共有の共通トランスポート・ベアラとして用いられることになる確立済みのチャネルのＩＤを含める。
【００２１】
本技術の別の態様は、無線ネットワーク制御装置ノードから無線基地局への共通トランスポートチャネル設定手順の第１のメッセージの中に、マルチメディア・ブロードキャスト／マルチキャスト・サービスのセッションに関わる共通トランスポート・ベアラの共有が許可されていることを示し、そして、第１のメッセージに対する所定の応答を受信した時点で、マルチメディア・ブロードキャスト／マルチキャスト・サービスのユーザデータを無線基地局のサービス圏内の複数のセルの中にあるユーザ装置ユニットに送信するために、確立済みのチャネルを共有の共通トランスポート・ベアラとして用いるように構成された無線ネットワーク制御装置ノードに関する。
【００２２】
本技術の別の態様は、無線基地局のサービス圏内の複数のセルの中にあるユーザ装置ユニット間でマルチメディア・ブロードキャスト／マルチキャスト・サービスで利用される共通トランスポート・ベアラを共有できるかどうかを判定し、そして、判定が肯定である場合、無線基地局から無線ネットワーク制御装置へ送信された共通トランスポートチャネル設定手順のメッセージの中に、共有の共通トランスポート・ベアラとして用いられることになる確立済みのチャネルのＩＤを示すように構成された無線アクセスネットワークの無線基地局に関する。
【００２３】
本技術の別の態様は、マルチメディア・ブロードキャスト／マルチキャスト・サービスに関連して利用される無線アクセスネットワークに関する。無線アクセスネットワーク（ＲＡＮ）は、無線基地局と無線ネットワーク制御装置ノードとを備えている。無線ネットワーク制御装置ノードは、無線ネットワーク制御装置ノードから無線基地局への共通トランスポートチャネル設定手順の第１のメッセージの中に、マルチメディア・ブロードキャスト／マルチキャスト・サービスのセッションに関わる共通トランスポート・ベアラの共有が許可されていることを示すように構成されている。無線基地局は、無線基地局のサービス圏内の複数のセルの中にあるユーザ装置ユニット間で共通トランスポート・ベアラを共有するかどうかを判定し、そして、判定が肯定である場合、無線基地局から無線ネットワーク制御装置へ送信された共通トランスポートチャネル設定手順の第２のメッセージの中に、共有の共通トランスポート・ベアラとして用いられることになる確立済みのチャネルのＩＤを示すように構成されている。
【００２４】
従って、本技術は、無線基地局、例えばノードＢ、によって制御される異なるセルにおける同一のＭＢＭＳセッションに関して同一のＩｕｂユーザプレーンとトランスポートリソースとを使用する手段と方法（例えば制御プレーンの方法）とを提供する。この場合、ノードＢは、受信したＩｕｂフレームを複数のセルにおけるＭＢＭＳトランスポートチャネル（ＭＴＣＨ）上で送信する。
【００２５】
上記のおよびその他の本発明の目的、特徴、および利点は、添付の図面に示すような好適実施形態の下記のより詳細な記述から明白になるであろうが、添付の図面では、各種の図の全体を通じて、参照文字は同一の部分を指している。図面は必ずしも一定の縮尺ではなく、本発明の原理を示す強調が施されている。
【図面の簡単な説明】
【００２６】
【図１】マルチメディア・ブロードキャスト／マルチキャスト・サービス（ＭＢＭＳ）を円滑化する通信システムの略図である。
【図２】図１の通信システムの略図であり、特に、マルチメディア・ブロードキャスト／マルチキャスト・サービス（ＭＢＭＳ）のための複数のＩｕｂベアラの利用を示す図である。
【図３】例示する通信システムの略図であり、ノードＢのサービス圏内にある複数のセルの間で共有されるマルチメディア・ブロードキャスト／マルチキャスト・サービス（ＭＢＭＳ）のための１つのＩｕｂベアラの利用を示す図である。
【図４】ユーザ装置ユニット（ＵＥ）局、無線ネットワーク制御装置、および基地局を含む無線アクセスネットワーク（ＲＡＮ）の一部についての単純化された機能ブロック図である。
【図５】例示する動作モードによって共通トランスポートチャネル設定手順の中で行われる例示する動作を描いた略図である。
【図６】例示する動作モードによって共通トランスポートチャネル設定手順の中に含まれる例示するメッセージの略図である。
【発明を実施するための形態】
【００２７】
下記の記述において、本発明の十分な理解を提供することを目的として、限定ではなく説明のために、個々のアーキテクチャ、インタフェース、技術などのような具体的詳細について述べる。しかし、本発明はこれらの具体的詳細から逸脱した他の実施形態で実施されてもよいということが当業者には明白であろう。すなわち、当業者であれば、本書で明示的に記述されるかまたは示されてはいなくても本発明の原理を実施していて、本発明の精神と範囲の中に含まれているような各種の装置を考案することができるであろう。場合によっては、不要な詳細で本発明の説明をあいまいにしないようにするため、よく知られたデバイス、回路および方法の詳細説明は、省略してある。本発明の原理、態様、および実施形態を説明する本書のすべての記述ならびにそれらの具体例は、それらの構造的同等物および機能的同等物を包含することが意図されている。加えて、そのような同等物には、現在知られている同等物だけでなく、将来開発される同等物、すなわち、同じ機能を実行するものであれば開発されたいかなる要素であっても、含まれることが意図されている。
【００２８】
従って、例えば、当業者であれば、本書のブロック図は、本技術の原理を実施する実例となる回路構成の概念図を表すということを理解するであろう。同様に、いかなるフローチャート、状態遷移図、擬似コードのようなものは、コンピュータ可読媒体の中に実質的に表され、コンピュータもしくはプロセッサによって実行されることのできる各種のプロセスを、そのようなコンピュータもしくはプロセッサが明示的に示されているか否かを問わず表すということが理解されるであろう。
【００２９】
プロセッサもしくはコントローラと記載された機能ブロックを含む各種要素の機能は、専用ハードウェアを用いて提供されてもよいし、適切なソフトウェアと関連してソフトウェアを実行できるハードウェアを用いて提供されてもよい。プロセッサによって提供される場合、それらの機能は、１つの専用プロセッサによって提供されてもよいし、１つの共用プロセッサによって提供されてもよいし、あるいは、複数の個別のプロセッサによって提供され、それらの一部が共有あるいは分散されてもよい。また、プロセッサもしくはコントローラという用語の明示的な使用は、ソフトウェアを実行するハードウェアに排他的に言及すると解釈されるべきではなく、デジタル・シグナル・プロセッサ（ＤＳＰ）のハードウェア、ソフトウェアを記憶するためのＲＯＭ、ＲＡＭ、不揮発性記憶装置を制限なしに含んでもよい。
【００３０】
本発明について、図３に示す通信システム１０の、限定されない、例示する文脈の中で説明する。通信システム１０は、無線アクセスネットワーク（ＲＡＮ）１１を有し、それは、例示する限定されない実施形態ではＵＭＴＳ地上無線アクセス網（ＵＴＲＡＮ）であってもよい。無線アクセスネットワーク（ＲＡＮ）１１は、ＭＢＭＳサービスコンテキスト（ＢＭ−ＳＣ）１２からの送信を受信することができるノードを備えている。
【００３１】
通信システム１０はさらに、１つ以上のコアネットワークサービスノード１４（例えばＳＧＳＮまたはＧＧＳＮノードまたはその両方であるが、ＧＧＳＮノードおよびＳＧＳＮノードを両方とも図３に示す）を有する。ＧＧＳＮノード１４のようなコアネットワークノードは、ＭＢＭＳサービスコンテキスト（ＢＭ−ＳＣ）１２からの送信を受信するように配置され、構成される。この点で、ＭＢＭＳサービスコンテキスト（ＢＭ−ＳＣ）１２は、コアネットワーク１４の中に（例えば、コアネットワークノードとして）自分自身が位置してもよいし、あるいは、図３に示すようにコアネットワーク１４の外部に位置してもよい。
【００３２】
無線アクセスネットワーク（ＲＡＮ）１１は、１つ以上の無線ネットワーク制御装置（ＲＮＣ）２６を有する。各無線ネットワーク制御装置ノード２６は、インタフェース（例えば、無線アクセスネットワーク（ＲＡＮ）１１がＵＴＲＡＮである場合はＩｕインタフェース）上で、適切なコアネットワークノードに接続する。また、各無線ネットワーク制御装置ノード２６は、（ＵＴＲＡＮの場合、Ｉｕｂインタフェース上で）１つ以上の基地局（ＢＳ）２８に接続し、無線アクセスネットワーク（ＲＡＮ）１１では１つ以上の他のＲＮＣに接続する可能性が高い。また当業者であれば、無線基地局、基地局、ノードＢまたはＢノードというすべてのそのような用語は、本明細書では交換できるように用いられていることを理解するであろう。
【００３３】
話を簡単にするため、図３の無線アクセスネットワーク（ＲＡＮ）１１は、１つのＲＮＣノード２６と１つの基地局ノード２８だけを有するように示す。基地局２８は、無線インタフェース３２で移動局もしくはユーザ装置ユニット３０と通信する。図３の例示する実施形態では、無線基地局２８が複数のセルにサービス提供し、そのようなセルであるＣ1、Ｃ2、Ｃ3を例として示す。１つの無線基地局２８が複数のセルにサービス提供することは、同一の無線基地局が、異なるそれぞれのセルについて異なる、例えば異なるトランシーバを有することによって、円滑になる。
【００３４】
各無線インタフェース３２、すなわちＩｕインタフェース、ＩｕｒインタフェースおよびＩｕｂインタフェースを、図３では一点鎖線で示す。
【００３５】
一例として、図３は、各セルに位置する代表的なユーザ装置ユニット３０を示す。すなわち、ユーザ装置ユニット３０1は現在セルＣ1のサービス圏内にあり、ユーザ装置ユニット３０2は現在セルＣ2のサービス圏内にあり、そしてユーザ装置ユニット３０3は現在セルＣ3のサービス圏内にある。理解されるであろうが、典型的には、各セルの中には多くのユーザ装置ユニットが存在し、マルチメディア・ブロードキャスト／マルチキャスト・サービス（ＭＢＭＳ）セッションについてのデータの送信は、本質的に、具体的なマルチメディア・ブロードキャスト／マルチキャスト・サービス（ＭＢＭＳ）セッションへの参加をリクエストした複数のユーザ装置ユニットの各々に対して同時に提供されうる。すなわち、あるセルの中のすべてのユーザ装置ユニットは、ＭＢＭＳセッションを搬送するセル内のＭＴＣＨを同時に聴取する。
【００３６】
図４は、ユーザ装置ユニット（ＵＥ）３０の選択された一般的な態様と、例えば無線ネットワーク制御装置２６および基地局２８のような例証となるノードとを示す。図４に示すユーザ装置ユニット（ＵＥ）３０は、ユーザ装置ユニット（ＵＥ）が必要とする各種の動作を制御するためのデータ処理および制御ユニット３４を有する。ＵＥのデータ処理および制御ユニット３４は、制御信号およびデータを、アンテナ３８に接続された無線トランシーバ３６に提供する。
【００３７】
図４に示す例示する無線ネットワーク制御装置２６と基地局２８とは、無線ネットワークノードであり、その各々は、無線基地局２８を介したＲＮＣ２６とユーザ装置ユニット（ＵＥ）３０との間の通信を行うのに必要な多数の無線処理動作およびデータ処理動作を行うため、それぞれ対応するデータ処理および制御ユニット４０および４２を含む。基地局のデータ処理および制御ユニット４０によって制御される装置の一部は、１つ以上のアンテナ４８に接続する複数の無線トランシーバ４６を含む。
【００３８】
マルチメディア・ブロードキャスト／マルチキャスト・サービス（ＭＢＭＳ）の利用を円滑化するため、無線ネットワーク制御装置ノード２６は、セルおよび共通チャネルハンドラ５０を有する。同様に、無線基地局２８は、セルおよび共通チャネルハンドラ５２を有する。
【００３９】
無線ネットワーク制御装置ノード２６のセルおよび共通チャネルハンドラ５０は、前述のＮＢＡＰプロトコルの中に含まれる前述の共通トランスポートチャネル管理機能によって実現されうる。このため、図４の例示する実装において、セルおよび共通チャネルハンドラ５０は、無線ネットワーク制御装置ノード２６のためのＮＢＡＰプロトコルハンドラ５４の中に含まれるとして示す。同様に、共通チャネルハンドラ５２は、無線基地局２８のためのＮＢＡＰプロトコルハンドラ５６の中に含まれるとして示す。図示した例示する実装では、ＮＢＡＰプロトコルハンドラ５４（および、従ってそれに包含されるセルおよび共通チャネルハンドラ５０）とＮＢＡＰプロトコルハンドラ５６のうちいずれか一方または両方は、それぞれのデータ処理および制御ユニット４０および４２を備えてもよく、それらは（例えば）上記で広義に定義された用語の意味でコントローラもしくはプロセッサであってもよい。
【００４０】
本書で記述した本技術の各種の実施形態において、既存の共通トランスポートチャネル設定手順は、ノードＢの、例えば無線基地局２８の、複数のセルについて同一のＩｕｂユーザプレーンのリソースを用いるように修正される。この点で、図３は、マルチメディア・ブロードキャスト／マルチキャスト・サービス（ＭＢＭＳ）セッションのためのユーザデータを、無線基地局２８のサービス圏内の複数のセルに位置するユーザ装置ユニットへ搬送するＩｕｂユーザプレーンリソース、例えば共通トランスポート・ベアラ６０を、１つ示す。一例として、図３は、マルチメディア・ブロードキャスト／マルチキャスト・サービス（ＭＢＭＳ）セッションのためのユーザデータをセルＣ1の中のユーザ装置ユニット３０1、セルＣ2の中のユーザ装置ユニット３０2、およびセルＣ3の中のユーザ装置ユニット３０3へ搬送する共通トランスポート・ベアラ６０を示す。図３に示すかたちでマルチメディア・ブロードキャスト／マルチキャスト・サービス（ＭＢＭＳ）セッションのためのユーザデータを複数のセルの中のユーザ装置ユニットへ搬送する目的で１つの共通トランスポート・ベアラ６０を用いることは、図２に示すように複数のＩｕｂベアラ１３６を（各セルについて１つ）用いる従来のやり方とは対照的である。
【００４１】
理解されるであろうが、共通トランスポート・ベアラ６０は、マルチメディア・ブロードキャスト／マルチキャスト・サービス（ＭＢＭＳ）セッションのためのユーザデータを複数のセルの中のユーザ装置ユニットへ搬送するのに利用することができ、そして、この文脈では複数とは２つ以上を意味する。図３には３つのセルが示されているが、共通トランスポート・ベアラ６０は、その代わりに、無線基地局２８のサービス圏内の２つのセル、あるいは同様に無線基地局２８のサービス圏内の４つ以上のセルの中のユーザ装置ユニットのために利用されてもよいだろう。さらにまた、当業者であれば理解するであろうが、マルチメディア・ブロードキャスト／マルチキャスト・サービス（ＭＢＭＳ）セッションの受信は、セル毎に１つのユーザ装置ユニットに限定されるのではなく、複数のユーザ装置ユニットが複数のセルの各々の中でマルチメディア・ブロードキャスト／マルチキャスト・サービス（ＭＢＭＳ）セッションを受信することができる。
【００４２】
ＭＴＣＨ（ＭＢＭＳ  Ｔｒａｎｓｐｏｒｔチャネル）という名前は、ＭＢＭＳ機能に関して用いられるが、実際には１つのＭＴＣＨチャネルは、無線インタフェース上で１つのＦＡＣＨチャネルによって搬送される。Ｉｕｂインタフェース上では、各ＦＡＣＨチャネルのデータストリームは、Ｉｕｂトランスポート・ベアラ、すなわち、共通トランスポート・ベアラ６０によって搬送される。本技術では、１つのＩｕｂトランスポート・ベアラが、異なるセルの中の複数のＦＡＣＨ／ＭＴＣＨのために使われることができる。
【００４３】
図３はさらに、すべてのセルについて１つの共通トランスポート・ベアラ６０を介して無線基地局２８へ提供された、マルチメディア・ブロードキャスト／マルチキャスト・サービス（ＭＢＭＳ）セッションのためのユーザデータが、各セルのための一意のＭＴＣＨ上で各セルの中で配信されることを示す。このため、図３は、セルＣ1のためのＭＴＣＨ６２1、セルＣ2のためのＭＴＣＨ６２2、およびセルＣ3のためのＭＴＣＨ６２3を示す。
【００４４】
図５は、例えば基地局２８のような無線基地局のサービス圏内の複数のユーザ装置ユニットへのマルチメディア・ブロードキャスト／マルチキャスト・サービスの送信を円滑化するため、無線アクセスネットワーク（例えば無線アクセスネットワーク（ＲＡＮ）１１）を動作させる方法に関連して行われる、例示する一般的で代表的な動作を示す。図５の方法の動作は、ＭＢＭＳセッション開始要求の後で行われ、本書で記述するような共通トランスポートチャネル設定手順の実行を含む。無線ネットワーク制御装置ノード２６によって行われる図５の動作は、例えばセルおよび共通チャネルハンドラ５０によって行われてもよいし、同様に、無線基地局２８によって行われる図５の動作は、例えばセルおよび共通チャネルハンドラ５２によって行われてもよい。
【００４５】
図５は、例示する方法の例示する動作を描いているが、図６はその方法に含まれる例示するメッセージの送信について示す。留意すべきだが、（前に説明したように）異なるセルの中でＭＴＣＨを確立するには別個の共通トランスポートチャネル設定手順が必要である。言い換えると、同じノードＢのサービス圏内の３つのセルＣ1乃至Ｃ3の中でＭＴＣＨが確立されることになる場合には、３つの別個の共通トランスポートチャネル設定要求メッセージが無線ネットワーク制御装置ノードによって開始され、そのようなメッセージは各セルについて１つ開始される。従って、図５の例示する動作は、１つの共通トランスポートチャネル設定手順の動作という文脈で論じられるのであって、その１つの共通トランスポートチャネル設定手順が、無線基地局２８のために行われた第１のそのような共通トランスポートチャネル設定手順であるかどうか、あるいは、無線基地局２８を含む１つ以上のそのような手順がすでに行われたかどうかということを指定しない。
【００４６】
図５は、動作５−１として、無線ネットワーク制御装置ノード２６が、共通トランスポートチャネル設定手順の第１のメッセージ７０の中に、マルチメディア・ブロードキャスト／マルチキャスト・サービスのセッションに関わる共通トランスポート・ベアラの共有が許可されるという表示を含めることを描いている。図５の動作５−２および図６は、無線ネットワーク制御装置ノード２６から無線基地局２８への第１のメッセージ７０の送信を示す。例示する実装では、第１のメッセージ７０は、例えば、共通トランスポートチャネル設定要求であってもよい。
【００４７】
図５の例示する方法の動作５−３は、無線基地局２８が、無線基地局２８のサービス圏内の複数のセルに位置するユーザ装置ユニット間で共通トランスポート・ベアラ６０を共有するかどうかの判定を行うことを示す。動作５−３の判定が肯定である場合、動作５−４として、無線基地局２８は、共通トランスポートチャネル設定手順の第２のメッセージ８０の中に、共有の共通トランスポート・ベアラとして用いられることになる確立済みのチャネルのＩＤを含める。動作５−５は、無線基地局２８が、共通トランスポートチャネル設定手順の第２のメッセージ８０を無線ネットワーク制御装置ノード２６へ送信することを示す。例示する実装では、第２のメッセージ８０は、例えば共通トランスポートチャネル設定応答であってもよい。
【００４８】
図５の例示する方法の動作５−６として、無線ネットワーク制御装置２６は、無線基地局のサービス圏内の複数のセルに位置するユーザ装置ユニットにマルチメディア・ブロードキャスト／マルチキャスト・サービスのユーザデータを送信するための共有の共通トランスポート・ベアラとして、確立済みのチャネルを用いる。
【００４９】
例示する一実施形態では、無線基地局は、部分動作を行うことによって動作５−３の判定を行う。例示する部分動作５−３（ａ）として、無線基地局２８は、マルチメディア・ブロードキャスト／マルチキャスト・サービスのセッションのために確立済みのＩｕｂトランスポート・ベアラがすでに存在するかどうかを判定する。すなわち、部分動作５−３（ａ）として、無線基地局２８は、共通トランスポートチャネル設定手順が無線基地局２８のサービス圏内の別のセルのためにすでに行われた（その結果として確立済みのチャネルとなった）かどうかを判定する。例示する部分動作５−３（ｂ）として、無線基地局２８は、各種の機能および構造的な検討、例えば（例をあげると）無線基地局の内部のハードウェアまたはソフトウェアまたはその両方の構造に基づいて、確立済みのＩｕｂトランスポート・ベアラを共有するかどうかを判定する。
【００５０】
本技術は、ＡＴＭトランスポートの選択肢とＩＰトランスポートの選択肢とを両方サポートする。いずれの（ＡＴＭおよびＩＰ）トランスポートの場合でも、基地局は、確立済みのチャネルのセルＩＤおよび共通トランスポートチャネルＩＤに加えて、確立済みのチャネルのトランスポート・レイヤ・アドレスおよび結合ＩＤを含めてもよい。
【００５１】
例示する一実装では、無線ネットワーク制御装置（ＲＮＣ）は、共通トランスポート・ベアラの共有が許可されていることを示すため、図６に示すかたちで、共通トランスポートチャネル設定手順の第１のメッセージの中に情報要素７２を含める。情報要素７２は、共通トランスポートチャネル設定手順の第１のメッセージのための新たな情報要素であってもよい。さらに、無線基地局は、共通トランスポートチャネル設定手順の第２のメッセージの情報要素８２の中に、共有の共通トランスポート・ベアラとして用いられることになる確立済みのチャネルのＩＤを含める。
【００５２】
ブロードキャスト共通トランスポート・ベアラＩＥ７２（または同様のＩＥ）を含めることによって、ＣＲＮＣ  ２６は、ＲＢＳ２８では分割が許可されていることを示す。ブロードキャスト共通トランスポート・ベアラＩＥ７２は、無線基地局２８（ノードＢ）または無線ネットワーク・サブシステム（ＲＮＳ）におけるすべての進行中のＭＢＭＳセッションのうちでそのＭＢＭＳセッションを一意に識別する参照ＩＥを含む。
【００５３】
また本技術は、無線ネットワーク制御装置ノード２６および無線基地局２８に、それらの内部ハードウェア機能またはソフトウェア機能またはその両方のような要因に基づいてこの共通トランスポート・ベアラ機能をサポートするかどうかに関して柔軟性と自由度を持たせる。例えば、図５の動作５−３（ｂ）として、無線基地局２８は、各種の機能および構造的な検討、例えば（例をあげると）無線基地局の内部のハードウェア構造またはソフトウェア構造またはその両方に基づいて、確立済みのチャネルを共有するかどうかを任意で判定することができる。共有または非共有の判定に関わるそのような検討事項には、無線基地局２８におけるハードウェアまたはソフトウェアのいずれか一方または両方のリソースの細分化の事実、度合い、または程度が含まれてもよい。例えば、複数のセルの中の共通トランスポートチャネル用にプールされたハードウェアリソースまたはソフトウェアリソースまたはその両方を用いるようなハードウェア構造またはソフトウェア構造またはその両方を有する無線基地局２８は、共通トランスポート・ベアラ６０の共有に同意する可能性が高い（例えば、複数のセルの間で共通トランスポート・ベアラ６０の使用を分割する）。他方、セル毎の共通トランスポートチャネル用に専用ハードウェアリソースまたはソフトウェアリソースまたはその両方を用いるようなハードウェア構造またはソフトウェア構造またはその両方を有する無線基地局２８は、共通トランスポート・ベアラの共有に同意する可能性が低い。
【００５４】
上記の件について、実際には、無線基地局２８が共同リソースと専用リソースとの混合を有するということが生じる可能性がある。各ハードウェアリソースおよびソフトウェアリソースは、一般的には容量に限度がある（例えば、各ハードウェアまたはソフトウェアリソースは、各セルの中でＭ個の共通トランスポートチャネルを使って最大Ｎ個のセルを処理することができる）。無線基地局２８が１つ以上のセルをサポートする場合には、無線基地局２８は、１つ以上のリソースユニットを有する。従って、そのような状況では、特定のリソースユニットの容量の限度に達した場合には、追加の同程度のリソースユニットが新たなセル／共通トランスポートチャネルのために導入されてもよい。場合によっては、新規の共通トランスポートチャネルのために分割（例えば、共有）を可能にするはずである、リソースユニット間の共通配信ポイントまたは何らかの調整機能が存在しないこともあるだろう。従って、共通トランスポートチャネル設定要求メッセージを受信すると、無線基地局２８（ノードＢ）は、内部ハードウェア構造またはソフトウェア構造またはその両方に応じて、ノードＢの中の２つ以上のセルのためのトランスポート・ベアラ６０の共有（例えば分割）を決定してもよい。
【００５５】
動作５−３（ｂ）に関連して述べたように、無線基地局２８は、ブロードキャスト参照先情報要素（例えば、メッセージ７０の情報要素７２）をチェックする。同一の参照先で確立済みのＦＡＣＨチャネルがすでに存在する場合であって、かつ、同一のトランスポート・ベアラを用いることが可能であるかまたは望ましい場合には、無線基地局２８は、ＭＢＭＳ共通トランスポート・ベアラ情報応答ＩＥ  ８２の中に、Ｃ−ＩＤと共通トランスポートチャネル設定応答の中で確立済みのＦＡＣＨチャネルのうちの１つの共通トランスポートチャネルＩＤとを示す。あるいは、ノードＢが、トランスポートリソースのＩＤ、すなわち、トランスポート層アドレス（ＴＬＡ）および確立済みのＦＡＣＨチャネルの結合ＩＤを共通トランスポートチャネル設定応答の中に示してもよい。
【００５６】
共通トランスポートチャネル設定応答を受信すると、ＲＮＣは、無線基地局２８（ノードＢ）が共通トランスポート・ベアラ６０の分割（例えば共有）をサポートする場合、示されたＦＡＣＨチャネルのトランスポート・ベアラを用いる。
【００５７】
ＩＰトランスポートの場合、前述したものと同じ手順が用いられる。しかし、ＣＲＮＣ（例えば無線ネットワーク制御装置ノード２６）がノードＢにおける分割の可能性に事前に気付いていないことから、無線ネットワーク制御装置ノード２６は、ＦＡＣＨトランスポート・ベアラのためにＴＬＡ／結合ＩＤ（ＩＰアドレス／ＵＤＰポート番号）を常に割り当て、そして、これらのパラメータを第１のメッセージ７０（例えば共通トランスポートチャネル設定要求メッセージ）の中に含める。しかし、分割が可能であって、かつ、無線基地局２８が（（第２のメッセージ８０、例えば共通トランスポートチャネル設定応答の）ブロードキャスト共通トランスポート・ベアラ情報応答ＩＥ８２の中に）Ｃ−ＩＤと確立済みのＦＡＣＨチャネルの共通トランスポートチャネルＩＤとを示す場合には、無線基地局２８は、ＲＮＣの中の割り当てられたＴＬＡ／結合ＩＤ（ＩＰアドレス／ＵＤＰポート番号）を公表し、示されたＦＡＣＨチャネルのトランスポート・ベアラのＩＰアドレス／ＵＤＰポート番号を用いる。
【００５８】
ＩＰトランスポートの場合のトランスポート・ベアラは、発信元ＵＤＰポートおよび着信先ＵＤＰポート、並びに発信元ＩＰアドレスおよび着信先ＩＰアドレスによって定義される。従って、既存のトランスポートリソースのＩＤを示す方法の別法をサポートすることを目的として、無線ネットワーク制御装置ノード２６は、ローカルなトランスポート・ベアラ終端ポイントＩＤを、ＭＴＣＨを搬送している既存のＦＡＣＨの１つに対して同じように割り当てる必要がある。従って、その選択肢は、共通トランスポート・ベアラを選択するため、無線基地局２８の自由を制限する可能性があるであろう。それゆえ、無線ネットワーク・レイヤを介して共通トランスポート・ベアラを示す明示的な能力の方が優れている。
【００５９】
本書で提供された解決策と技術とによって、無線ネットワーク制御装置ノードは、すべての要求メッセージの中に、このＭＴＣＨのためのトランスポート・ベアラを、同じＭＢＭＳセッションを搬送する他のＭＴＣＨと共有することが許可されているかどうかを示す。これによって、無線ネットワーク制御装置ノード（ＲＮＣ）と無線基地局（ＲＢＳ、例えばノードＢ）に、ノードのハードウェア機能またはソフトウェア機能またはその両方に応じて、同一のＩｕｂベアラを用いるか否かを（ＭＴＣＨ毎に）決定する自由が与えられる。この自由によって、本解決策は、この機能性をサポートしないＲＮＣ／ＲＢＳノードとの良好な下位互換性を実現する。
【００６０】
さまざまな実施形態を示して詳細に記述してきたが、特許請求の範囲は、いかなる特定の実施形態あるいは例にも限定されない。上記の記述のいずれも、特定の要素、ステップ、動作、範囲あるいは機能が必須であり、従って請求項の範囲に含まれなければならないということを意味していると解釈されるべきではない。法的保護の程度は、認められた請求項とそれらの同等物との中で語られた言葉によって定義される。理解されるべきだが、本発明は、開示された実施形態に限定されるのではなく、逆に、各種の修正形態および同等の構成をカバーすることが意図されている。
【図１】
2010508697.tif 000003
【図２】
2010508697.tif 000004
【図３】
2010508697.tif 000005
【図４】
2010508697.tif 000006
【図５】
2010508697.tif 000007
【図６】
2010508697.tif 000008
【国際調査報告】
2010508697.tif 000009
2010508697.tif 000010
2010508697.tif 000011
2010508697.tif 000012